(57)【特許請求の範囲】
【請求項１】
職域販売契約に基づいて販売業者が商品またはサービスを団体の構成員に販売するために使用される職域販売処理システムであって、
販売する商品またはサービスが登録された販売サイトを有する販売装置と、
前記団体が前記登録された商品またはサービスを注文するために用いる購入端末と、
前記販売装置および前記購入端末とネットワークを介して接続され、前記商品またはサービスの売買の仲介をする仲介サイトを有する販売仲介装置と、を備え、
前記販売装置は、
販売する前記商品またはサービスに関する情報を前記販売仲介装置に送信する商品・サービス情報送信手段と、
前記販売仲介装置から送信された職域販売決定商品またはサービスおよび必要なクーポン数に関する情報を受信する職域販売決定商品・サービスおよび必要なクーポン数情報受信手段と、
受信した前記職域販売決定商品またはサービスおよび必要なクーポン数に関する情報に基づいて、前記職域販売決定商品またはサービスのクーポンＩＤおよびクーポン番号を作成するクーポンＩＤ・番号作成手段と、
作成した前記職域販売決定商品またはサービスのクーポンＩＤおよびクーポン番号に関する情報を前記販売仲介装置に送信するクーポンＩＤ・番号情報送信手段と、
前記購入端末から送信された購入決定商品またはサービスに関する情報を受信する購入決定商品・サービス情報受信手段と、
前記商品またはサービスの売上に関する情報を前記販売仲介装置に送信する売上情報送信手段と、
を有し、
前記購入端末は、
前記職域販売商品またはサービスおよび必要なクーポン数に関する情報を前記販売仲介装置に送信する職域販売決定商品・サービスおよび必要なクーポン数情報送信手段と、
前記販売仲介装置から送信された前記職域販売決定商品またはサービスのクーポンＩＤおよびクーポン番号に関する情報ならびに前記販売装置のアドレス情報を受信するクーポンＩＤ・番号およびアドレス情報受信手段と、
受信した前記職域販売決定商品またはサービスのクーポンＩＤおよびクーポン番号に関する情報を自身のサイトに掲載するクーポン情報掲載手段と、
前記購入決定商品またはサービスに関する情報を前記販売装置に送信する購入決定商品・サービス情報送信手段と、
を有し、
前記販売仲介装置は、
前記商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの販売数量とアフィリエイト率とが関連付けられたアフィリエイトテーブルおよび前記アフィリエイトテーブルに基づいて仲介料を算出するための集計テーブルを含むデータベースと、
前記販売装置から送信された前記商品またはサービスに関する情報を受信する商品・サービス情報受信手段と、
受信した前記商品またはサービスに関する情報に基づいて、前記データベースの前記登録商品／サービステーブルに必要な事項を入力するための商品・サービス情報入力手段と、
必要な事項を入力された前記商品またはサービスについて、前記データベースの前記アフィリエイトテーブルを作成するアフィリエイトテーブル作成手段と、
前記購入端末から送信された前記職域販売決定商品またはサービスおよび必要なクーポン数に関する情報を受信する職域販売決定商品・サービスおよび必要なクーポン数情報受信手段と、
受信した前記職域販売決定商品またはサービスおよび必要なクーポン数に関する情報を前記販売装置に送信する職域販売決定商品・サービスおよび必要なクーポン数情報送信手段と、
前記販売装置から送信された前記職域販売決定商品またはサービスのクーポンＩＤおよびクーポン番号に関する情報を受信するクーポンＩＤ・番号情報受信手段と、
受信した前記職域販売決定商品またはサービスのクーポンＩＤおよびクーポン番号に関する情報に基づいて、前記データベースの前記マッチングテーブルに必要な事項を入力するためのクーポンＩＤ・番号情報入力手段と、
受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信手段と、
前記販売装置から送信された前記商品またはサービスの売上に関する情報を受信する売上情報受信手段と、
受信した前記商品またはサービスの売上に関する情報に基づいて、前記データベースの前記集計テーブルで指定された集計期間における売上数量および売上金額を集計する売上集計手段と、
集計した前記売上数量を基に、前記データベースのアフィリエイトテーブルを参照して、適用するアフィリエイト率を決定するアフィリエイト率決定手段と、
決定した前記アフィリエイト率を基に、前記団体が前記販売業者から受け取る仲介料を算出する仲介料算出手段と、を有することを特徴とする職域販売処理システム。
【請求項２】
販売業者が商品またはサービスを、職域販売契約に基づいて、団体の構成員に販売する職域販売において、該商品またはサービスが登録された販売サイトを有する販売装置と、前記団体が前記商品またはサービスを注文するために使用する購入端末と、にネットワークを介して接続され、前記商品またはサービスの売買の仲介をする仲介サイトを有する販売仲介装置であって、
前記販売業者が販売する商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの売上数量とアフィリエイト率とが関連付けられたアフィリエイトテーブルおよび前記アフィリエイトテーブルに基づいて仲介料を算出するための集計テーブルを含むデータベースと、
前記販売装置から送信された前記商品またはサービスに関する情報を受信する商品・サービス情報受信手段と、

受信した前記商品またはサービスに関する情報に基づいて、前記データベースの前記登録商品／サービステーブルに必要な事項を入力するための商品・サービス情報入力手段と、
必要な事項を入力された前記商品またはサービスについて、前記データベースの前記アフィリエイトテーブルを作成するアフィリエイトテーブル作成手段と、
前記購入端末から送信された職域販売決定商品またはサービスおよび必要なクーポン数に関する情報を受信する職域販売決定商品・サービスおよび必要なクーポン数情報受信手段と、
受信した前記職域販売決定商品またはサービスおよび必要なクーポン数に関する情報を前記販売装置に送信する職域販売決定商品・サービスおよび必要なクーポン数情報送信手段と、
前記販売装置から送信された前記職域販売決定商品またはサービスのクーポンＩＤおよびクーポン番号に関する情報を受信するクーポンＩＤ・番号情報受信手段と、
受信した前記職域販売決定商品またはサービスのクーポンＩＤおよびクーポン番号に関する情報に基づいて、前記データベースの前記マッチングテーブルに必要な事項を入力するためのクーポンＩＤ・番号情報入力手段と、
受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信手段と、
前記販売装置から送信された前記商品またはサービスの売上に関する情報を受信する売上情報受信手段と、
受信した前記商品またはサービスの売上に関する情報に基づいて、前記データベースの前記集計テーブルで指定された集計期間における売上数量および売上金額を集計する売上集計手段と、
集計した前記売上数量を基に、前記データベースのアフィリエイトテーブルを参照して、適用するアフィリエイト率を決定するアフィリエイト率決定手段と、
決定した前記アフィリエイト率を基に、前記団体が前記販売業者から受け取る仲介料を算出する仲介料算出手段と、を有することを特徴とする販売仲介装置。
【請求項３】
販売業者が商品またはサービスを、職域販売契約に基づいて、団体の構成員に販売する職域販売において、該商品またはサービスが登録された販売サイトを有する販売装置と、
前記団体が使用する購入端末と、前記販売装置および前記購入端末とネットワークを介して接続され、前記商品またはサービスの売買の仲介をする仲介サイトならびに前記販売業者が販売する商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの売上数量とアフィリエイト率とが関連付けられたアフィリエイトテーブルおよび前記アフィリエイトテーブルに基づいて仲介料を算出するための集計テーブルを含むデータベースを有する販売仲介装置と、を備える職域販売処理システムを用いて行う職域販売処理方法であって、
前記販売装置において、
商品・サービス情報送信手段によって、販売する前記商品またはサービスに関する情報を前記販売仲介装置に送信する商品・サービス情報送信ステップと、
前記販売仲介装置において、
商品・サービス情報受信手段によって、前記販売装置から送信された前記商品またはサービスに関する情報を受信する商品・サービス情報受信ステップと、
受信した前記商品またはサービスに関する情報を基に行われる、商品・サービス情報入力手段による前記データベースの前記登録商品／サービステーブルへの必要な事項の入力を受け付ける商品・サービス情報入力受付ステップと、
アフィリエイトテーブル作成手段によって、必要な事項を入力された前記商品またはサービスについて、前記データベースの前記アフィリエイトテーブルを作成するアフィリエイトテーブル作成ステップと、
前記購入端末において、
職域販売決定商品・サービスおよび必要なクーポン数情報送信手段によって、職域販売決定商品またはサービスおよび必要なクーポン数に関する情報を前記販売仲介装置に送信する職域販売決定商品・サービスおよび必要なクーポン数情報送信ステップと、
前記販売仲介装置において、
職域販売決定商品・サービスおよび必要なクーポン数情報受信手段によって、前記購入端末から送信された前記職域販売決定商品および必要なクーポン数に関する情報を受信する職域販売決定商品・サービスおよび必要なクーポン数情報受信ステップと、
職域販売決定商品・サービスおよび必要なクーポン数情報送信手段によって、受信した前記職域販売決定商品および必要なクーポン数に関する情報を前記販売端末に送信する職域販売決定商品・サービスおよび必要なクーポン数情報送信ステップと、
前記販売装置において、
職域販売決定商品・サービスおよび必要なクーポン数受信手段によって、前記販売仲介装置から送信された前記職域販売決定商品またはサービスおよび必要なクーポン数に関する情報を受信する職域販売決定商品・サービスおよび必要なクーポン数情報受信ステップと、
クーポンＩＤ・番号作成手段によって、受信した前記職域販売決定商品またはサービスおよび必要なクーポン数に基づいて、前記職域販売決定商品またはサービスのクーポンＩＤおよびクーポン番号を作成するクーポンＩＤ・番号作成ステップと、
クーポンＩＤ・番号情報送信手段によって、作成した前記職域販売決定商品またはサービスのクーポンＩＤおよびクーポン番号に関する情報を前記販売仲介装置に送信するクーポンＩＤ・番号情報送信ステップと、
前記販売仲介装置において、
クーポンＩＤ・番号情報受信手段によって、前記販売装置から送信された前記職域販売決定商品またはサービスのクーポンＩＤおよびクーポン番号に関する情報を受信するクーポンＩＤ・番号情報受信ステップと、
受信した前記職域販売決定商品またはサービスのクーポンＩＤおよびクーポン番号に関する情報を基に行われる、クーポンＩＤ・番号情報入力手段による前記データベースの前記マッチングテーブルへの必要な事項の入力を受け付けるクーポンＩＤ・番号情報入力受付ステップと、
クーポンＩＤ・番号およびアドレス情報送信手段によって、受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信ステップと、
前記購入端末において、
クーポンＩＤ・番号およびアドレス情報受信手段によって、前記販売仲介装置から送信された前記職域販売決定商品またはサービスのクーポンＩＤおよびクーポン番号に関する情報ならびに前記販売装置のアドレス情報を受信するクーポンＩＤ・番号およびアドレス情報受信ステップと、
クーポン情報掲載手段によって、受信した前記職域販売決定商品またはサービスのクーポンＩＤおよびクーポン番号に関する情報を自身のサイトに掲載するクーポン情報掲載ステップと、
購入決定商品・サービス情報送信手段によって、購入決定商品またはサービスに関する情報を前記販売装置に送信する購入決定商品・サービス情報送信ステップと、
前記販売端末において、
購入決定商品・サービス情報受信手段によって、前記購入端末から送信された前記購入決定商品またはサービスに関する情報を受信する購入決定商品・サービス情報受信ステップと、
売上情報送信手段によって、前記商品またはサービスの売上に関する情報を前記販売仲介装置に送信する売上情報送信ステップと、
前記販売仲介装置において、
売上情報受信手段によって、前記販売装置から送信された前記商品またはサービスの売上に関する情報を受信する売上情報受信手段ステップと、
売上集計手段によって、受信した前記商品またはサービスの売上に関する情報に基づいて、前記データベースの前記集計テーブルで指定された集計期間における売上数量および売上金額を集計する売上集計ステップと、
アフィリエイト率決定手段によって、集計した前記売上数量を基に、前記データベースのアフィリエイトテーブルを参照して、適用するアフィリエイト率を決定するアフィリエイト率決定ステップと、
仲介料算出手段によって、決定した前記アフィリエイト率を基に、前記団体が前記販売業者から受け取る仲介料を算出する仲介料算出ステップと、 
を含むことを特徴とする職域販売処理方法。
【請求項４】
販売業者が商品またはサービスを、職域販売契約に基づいて、団体の構成員に販売する職域販売において、該商品またはサービスが登録された販売サイトを有する販売装置と、前記団体が使用する購入端末と、前記販売装置および前記購入端末とネットワークを介して接続され、前記商品またはサービスの売買の仲介をする仲介サイトならびに前記販売業者が販売する商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの売上数量とアフィリエイト率とが関連付けられたアフィリエイトテーブルおよび前記アフィリエイトテーブルに基づいて仲介料を算出するための集計テーブルを含むデータベースを有する販売仲介装置を構成するコンピュータに販売仲介処理を実行させるためのプログラムであって、
前記販売装置から送信された前記商品またはサービスに関する情報を受信する商品・サービス情報受信ステップと、
受信した前記商品またはサービスに関する情報を基に行われる前記データベースの前記登録商品／サービステーブルへの必要な事項の入力を受け付ける商品・サービス情報入力受付ステップと、
必要な事項を入力された前記商品またはサービスについて、前記データベースの前記アフィリエイトテーブルを作成するアフィリエイトテーブル作成ステップと、
前記購入端末から送信された職域販売決定商品またはサービスおよび必要なクーポン数に関する情報を受信する職域販売決定商品・サービスおよび必要なクーポン数情報受信ステップと、
受信した前記職域販売決定商品またはサービスおよび必要なクーポン数に関する情報を前記販売装置に送信する職域販売決定商品・サービスおよび必要なクーポン数情報送信ステップと、
前記販売装置から送信された前記職域販売決定商品またはサービスのクーポンＩＤおよびクーポン番号に関する情報を受信するクーポンＩＤ・番号情報受信ステップと、
受信した前記職域販売決定商品またはサービスのクーポンＩＤおよびクーポン番号に関する情報を基に行われる前記データベースの前記マッチングテーブルへの必要な事項の入力を受け付けるクーポンＩＤ・番号情報入力受付ステップと、
受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信ステップと、
前記販売装置から送信された前記商品またはサービスの売上に関する情報を受信する売上情報受信ステップと、
受信した前記商品またはサービスの売上に関する情報に基づいて、前記データベースの前記集計テーブルで指定された集計期間における売上数量および売上金額を集計する売上集計ステップと、
集計した前記売上数量を基に、前記データベースのアフィリエイトテーブルを参照して、適用するアフィリエイト率を決定するアフィリエイト率決定ステップと、
決定した前記アフィリエイト率を基に、前記団体が前記販売業者から受け取る仲介料を算出する仲介料算出ステップと、
を含むことを特徴とするプログラム。
【請求項５】
請求項４に記載のプログラムを記録したことを特徴とするコンピュータ可読媒体。
【発明の詳細な説明】
【技術分野】
【０００１】
本発明は、職域販売処理システム、装置、方法、プログラム、および該プログラムを格納したコンピュータ可読媒体に関し、詳細には、仲介料算出手段を有する職域販売処理システム、装置、方法、プログラム、および該プログラムを格納したコンピュータ可読媒体に関する。
【背景技術】
【０００２】
販売業者が商品およびサービスを顧客に販売する形態の１つとして、職域販売がある。職域販売とは、予め販売業者と、顧客となる企業または団体の福利厚生機関とが契約を結び、販売業者の商品およびサービスを契約先の企業の社員、または団体のメンバーに独占販売することである。また、職域販売は、その企業または団体の敷地内に販売業者が訪問して、そこで展示販売を行うことが一般的である。
【０００３】
また、職域販売において、販売業者は、企業または団体の福利厚生機関に顧客紹介料（仲介料）を支払う場合がある。この仲介料は、一般的に、商品およびサービスごとに個別に設定され、その商品およびサービスの販売数または売上高に応じて変化するように設定される。
【０００４】
職域販売による販売業者側のメリットとしては、大規模なマーケットを所有できること、売上が販売店舗の立地に左右されないこと、競合がなく独占的に販売することができることなどが挙げられる。一方、企業または団体側のメリットは、販売店に行く手間が省けること、一括購入によるコスト削減により、特別割引などの優遇措置を享受できること、福利厚生を充実できること、販売業者から支払われた仲介料を福利厚生業務の経費等に使用できることなどが挙げられる。
【０００５】
一方、現行の販売業者の多くは、インターネットなどのネット網に接続されたサーバ内に自社の商品およびサービスを販売するサイトを有しており、ネットユーザは、このサイトにアクセスして、商品およびサービスを閲覧し、気に入った場合にこれらをネット上で購入する。近年、このようなネット販売は急速に普及しており、様々な販売サイトが出現している。
【０００６】
従来、訪問販売が主流であった職域販売においても、このネット販売のスタイルが取り入れられつつある。例えば、特許文献１は、ネット網を介して職域販売を行う方法、システム等を開示している。この発明では、ネット販売特有の問題点等を改善し、福利厚生機関に独自の販売サイトを提供している。
【特許文献１】特開２００２−１９７２９９
【発明の開示】
【発明が解決しようとする課題】
【０００７】
しかし、上記の特許文献１の発明では、上記の仲介料の仕組みを考慮されていない。よって、特許文献１で開示されているシステムと共に、別途、仲介料を算出する手段が必要となる。
【０００８】
本発明は、上記のような問題を考慮して創案されたものであり、本発明の課題は、仲介料を算出する手段を有した職域販売処理システムを提供することである。本発明の更なる課題は、該職域販売処理システムで用いる職域販売装置、方法、プログラム、該プログラムが格納されたコンピュータ可読媒体を提供することである。
【課題を解決するための手段】
【０００９】
上記課題を解決するために、本発明の請求項１の発明は、職域販売契約に基づいて販売業者が商品またはサービスを団体の構成員に販売するために使用される職域販売処理システムであり、以下の発明特定事項を備える。
販売する商品またはサービスが登録された販売サイトを有する販売装置と、
前記団体が前記登録された商品またはサービスを注文するために用いる購入端末と、
前記販売装置および前記購入端末とネットワークを介して接続され、前記商品またはサービスの売買の仲介をする仲介サイトを有する販売仲介装置と、を備え、
前記販売装置は、
販売する前記商品またはサービスに関する情報を前記販売仲介装置に送信する商品・サービス情報送信手段と、
前記販売仲介装置から送信された職域販売決定商品またはサービスおよび必要なクーポン数に関する情報を受信する職域販売決定商品・サービスおよび必要なクーポン数情報受信手段と、
受信した前記職域販売決定商品またはサービスおよび必要なクーポン数に関する情報に基づいて、前記職域販売決定商品またはサービスのクーポンＩＤおよびクーポン番号を作成するクーポンＩＤ・番号作成手段と、
作成した前記職域販売決定商品またはサービスのクーポンＩＤおよびクーポン番号に関する情報を前記販売仲介装置に送信するクーポンＩＤ・番号情報送信手段と、
前記購入端末から送信された購入決定商品またはサービスに関する情報を受信する購入決定商品・サービス情報受信手段と、
前記商品またはサービスの売上に関する情報を前記販売仲介装置に送信する売上情報送信手段と、
を有し、
前記購入端末は、
前記職域販売商品またはサービスおよび必要なクーポン数に関する情報を前記販売仲介装置に送信する職域販売決定商品・サービスおよび必要なクーポン数情報送信手段と、
前記販売仲介装置から送信された前記職域販売決定商品またはサービスのクーポンＩＤおよびクーポン番号に関する情報ならびに前記販売装置のアドレス情報を受信するクーポンＩＤ・番号およびアドレス情報受信手段と、
受信した前記職域販売決定商品またはサービスのクーポンＩＤおよびクーポン番号に関する情報を自身のサイトに掲載するクーポン情報掲載手段と、
前記購入決定商品またはサービスに関する情報を前記販売装置に送信する購入決定商品・サービス情報送信手段と、
を有し、
前記販売仲介装置は、
前記商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの販売数量とアフィリエイト率とが関連付けられたアフィリエイトテーブルおよび前記アフィリエイトテーブルに基づいて仲介料を算出するための集計テーブルを含むデータベースと、
前記販売装置から送信された前記商品またはサービスに関する情報を受信する商品・サービス情報受信手段と、
受信した前記商品またはサービスに関する情報に基づいて、前記データベースの前記登録商品／サービステーブルに必要な事項を入力するための商品・サービス情報入力手段と、
必要な事項を入力された前記商品またはサービスについて、前記データベースの前記アフィリエイトテーブルを作成するアフィリエイトテーブル作成手段と、
前記購入端末から送信された前記職域販売決定商品またはサービスおよび必要なクーポン数に関する情報を受信する職域販売決定商品・サービスおよび必要なクーポン数情報受信手段と、
受信した前記職域販売決定商品またはサービスおよび必要なクーポン数に関する情報を前記販売装置に送信する職域販売決定商品・サービスおよび必要なクーポン数情報送信手段と、
前記販売装置から送信された前記職域販売決定商品またはサービスのクーポンＩＤおよびクーポン番号に関する情報を受信するクーポンＩＤ・番号情報受信手段と、
受信した前記職域販売決定商品またはサービスのクーポンＩＤおよびクーポン番号に関する情報に基づいて、前記データベースの前記マッチングテーブルに必要な事項を入力するためのクーポンＩＤ・番号情報入力手段と、
受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信手段と、
前記販売装置から送信された前記商品またはサービスの売上に関する情報を受信する売上情報受信手段と、
受信した前記商品またはサービスの売上に関する情報に基づいて、前記データベースの前記集計テーブルで指定された集計期間における売上数量および売上金額を集計する売上集計手段と、
集計した前記売上数量を基に、前記データベースのアフィリエイトテーブルを参照して、適用するアフィリエイト率を決定するアフィリエイト率決定手段と、
決定した前記アフィリエイト率を基に、前記団体が前記販売業者から受け取る仲介料を算出する仲介料算出手段と、を有する。
【００１０】
【００１１】
【００１２】
【００１３】
さらに、上記課題を解決するために、本発明の請求項２の発明は、販売業者が商品またはサービスを、職域販売契約に基づいて、団体の構成員に販売する職域販売において、該商品またはサービスが登録された販売サイトを有する販売装置と、前記団体が前記商品またはサービスを注文するために使用する購入端末と、にネットワークを介して接続され、前記商品またはサービスの売買の仲介をする仲介サイトを有する販売仲介装置であり、
前記販売業者が販売する商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの売上数量とアフィリエイト率とが関連付けられたアフィリエイトテーブルおよび前記アフィリエイトテーブルに基づいて仲介料を算出するための集計テーブルを含むデータベースと、
前記販売装置から送信された前記商品またはサービスに関する情報を受信する商品・サービス情報受信手段と、
受信した前記商品またはサービスに関する情報に基づいて、前記データベースの前記登録商品／サービステーブルに必要な事項を入力するための商品・サービス情報入力手段と、
必要な事項を入力された前記商品またはサービスについて、前記データベースの前記アフィリエイトテーブルを作成するアフィリエイトテーブル作成手段と、
前記購入端末から送信された職域販売決定商品またはサービスおよび必要なクーポン数に関する情報を受信する職域販売決定商品・サービスおよび必要なクーポン数情報受信手段と、
受信した前記職域販売決定商品またはサービスおよび必要なクーポン数に関する情報を前記販売装置に送信する職域販売決定商品・サービスおよび必要なクーポン数情報送信手段と、
前記販売装置から送信された前記職域販売決定商品またはサービスのクーポンＩＤおよびクーポン番号に関する情報を受信するクーポンＩＤ・番号情報受信手段と、
受信した前記職域販売決定商品またはサービスのクーポンＩＤおよびクーポン番号に関する情報に基づいて、前記データベースの前記マッチングテーブルに必要な事項を入力するためのクーポンＩＤ・番号情報入力手段と、
受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信手段と、
前記販売装置から送信された前記商品またはサービスの売上に関する情報を受信する売上情報受信手段と、
受信した前記商品またはサービスの売上に関する情報に基づいて、前記データベースの前記集計テーブルで指定された集計期間における売上数量および売上金額を集計する売上集計手段と、
集計した前記売上数量を基に、前記データベースのアフィリエイトテーブルを参照して、適用するアフィリエイト率を決定するアフィリエイト率決定手段と、
決定した前記アフィリエイト率を基に、前記団体が前記販売業者から受け取る仲介料を算出する仲介料算出手段と、を有することを特徴とする。
【００１４】
【００１５】
【００１６】
【００１７】
さらに、上記課題を解決するために、本発明の請求項３の発明は、販売業者が商品またはサービスを、職域販売契約に基づいて、団体の構成員に販売する職域販売において、該商品またはサービスが登録された販売サイトを有する販売装置と、前記団体が使用する購入端末と、前記販売装置および前記購入端末とネットワークを介して接続され、前記商品またはサービスの売買の仲介をする仲介サイトならびに前記販売業者が販売する商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの売上数量とアフィリエイト率とが関連付けられたアフィリエイトテーブルおよび前記アフィリエイトテーブルに基づいて仲介料を算出するための集計テーブルを含むデータベースを有する販売仲介装置と、を備える職域販売処理システムを用いて行う職域販売処理方法であり、以下の発明特定事項を備える。
前記販売装置において、
商品・サービス情報送信手段によって、販売する前記商品またはサービスに関する情報を前記販売仲介装置に送信する商品・サービス情報送信ステップと、
前記販売仲介装置において、
商品・サービス情報受信手段によって、前記販売装置から送信された前記商品またはサービスに関する情報を受信する商品・サービス情報受信ステップと、
受信した前記商品またはサービスに関する情報を基に行われる、商品・サービス情報入力手段による前記データベースの前記登録商品／サービステーブルへの必要な事項の入力を受け付ける商品・サービス情報入力受付ステップと、
アフィリエイトテーブル作成手段によって、必要な事項を入力された前記商品またはサービスについて、前記データベースの前記アフィリエイトテーブルを作成するアフィリエイトテーブル作成ステップと、
前記購入端末において、
職域販売決定商品・サービスおよび必要なクーポン数情報送信手段によって、職域販売決定商品またはサービスおよび必要なクーポン数に関する情報を前記販売仲介装置に送信する職域販売決定商品・サービスおよび必要なクーポン数情報送信ステップと、
前記販売仲介装置において、
職域販売決定商品・サービスおよび必要なクーポン数情報受信手段によって、前記購入端末から送信された前記職域販売決定商品および必要なクーポン数に関する情報を受信する職域販売決定商品・サービスおよび必要なクーポン数情報受信ステップと、
職域販売決定商品・サービスおよび必要なクーポン数情報送信手段によって、受信した前記職域販売決定商品および必要なクーポン数に関する情報を前記販売端末に送信する職域販売決定商品・サービスおよび必要なクーポン数情報送信ステップと、
前記販売装置において、
職域販売決定商品・サービスおよび必要なクーポン数受信手段によって、前記販売仲介装置から送信された前記職域販売決定商品またはサービスおよび必要なクーポン数に関する情報を受信する職域販売決定商品・サービスおよび必要なクーポン数情報受信ステップと、
クーポンＩＤ・番号作成手段によって、受信した前記職域販売決定商品またはサービスおよび必要なクーポン数に基づいて、前記職域販売決定商品またはサービスのクーポンＩＤおよびクーポン番号を作成するクーポンＩＤ・番号作成ステップと、
クーポンＩＤ・番号情報送信手段によって、作成した前記職域販売決定商品またはサービスのクーポンＩＤおよびクーポン番号に関する情報を前記販売仲介装置に送信するクーポンＩＤ・番号情報送信ステップと、
前記販売仲介装置において、
クーポンＩＤ・番号情報受信手段によって、前記販売装置から送信された前記職域販売決定商品またはサービスのクーポンＩＤおよびクーポン番号に関する情報を受信するクーポンＩＤ・番号情報受信ステップと、
受信した前記職域販売決定商品またはサービスのクーポンＩＤおよびクーポン番号に関する情報を基に行われる、クーポンＩＤ・番号情報入力手段による前記データベースの前記マッチングテーブルへの必要な事項の入力を受け付けるクーポンＩＤ・番号情報入力受付ステップと、
クーポンＩＤ・番号およびアドレス情報送信手段によって、受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信ステップと、
前記購入端末において、
クーポンＩＤ・番号およびアドレス情報受信手段によって、前記販売仲介装置から送信された前記職域販売決定商品またはサービスのクーポンＩＤおよびクーポン番号に関する情報ならびに前記販売装置のアドレス情報を受信するクーポンＩＤ・番号およびアドレス情報受信ステップと、
クーポン情報掲載手段によって、受信した前記職域販売決定商品またはサービスのクーポンＩＤおよびクーポン番号に関する情報を自身のサイトに掲載するクーポン情報掲載ステップと、
購入決定商品・サービス情報送信手段によって、購入決定商品またはサービスに関する情報を前記販売装置に送信する購入決定商品・サービス情報送信ステップと、
前記販売端末において、
購入決定商品・サービス情報受信手段によって、前記購入端末から送信された前記購入決定商品またはサービスに関する情報を受信する購入決定商品・サービス情報受信ステップと、
売上情報送信手段によって、前記商品またはサービスの売上に関する情報を前記販売仲介装置に送信する売上情報送信ステップと、
前記販売仲介装置において、
売上情報受信手段によって、前記販売装置から送信された前記商品またはサービスの売上に関する情報を受信する売上情報受信手段ステップと、
売上集計手段によって、受信した前記商品またはサービスの売上に関する情報に基づいて、前記データベースの前記集計テーブルで指定された集計期間における売上数量および売上金額を集計する売上集計ステップと、
アフィリエイト率決定手段によって、集計した前記売上数量を基に、前記データベースのアフィリエイトテーブルを参照して、適用するアフィリエイト率を決定するアフィリエイト率決定ステップと、
仲介料算出手段によって、決定した前記アフィリエイト率を基に、前記団体が前記販売業者から受け取る仲介料を算出する仲介料算出ステップと、 
を含む。
【００１８】
【００１９】
さらに、上記課題を解決するために、本発明の請求項４の発明は、販売業者が商品またはサービスを、職域販売契約に基づいて、団体の構成員に販売する職域販売において、該商品またはサービスが登録された販売サイトを有する販売装置と、前記団体が使用する購入端末と、前記販売装置および前記購入端末とネットワークを介して接続され、前記商品またはサービスの売買の仲介をする仲介サイトならびに前記販売業者が販売する商品またはサービスの情報が入力された登録商品／サービステーブル、前記販売業者の情報が入力された販売業者テーブル、前記団体の情報が入力された登録購入団体テーブル、前記登録商品／サービステーブルに入力された前記商品またはサービスと前記販売業者テーブルに入力された前記販売業者と前記登録購入団体テーブルに入力された前記団体とが関連付けられたマッチングテーブル、前記商品またはサービスの売上数量とアフィリエイト率とが関連付けられたアフィリエイトテーブルおよび前記アフィリエイトテーブルに基づいて仲介料を算出するための集計テーブルを含むデータベースを有する販売仲介装置を構成するコンピュータに販売仲介処理を実行させるためのプログラムであり、以下の発明特定事項を備える。
前記販売装置から送信された前記商品またはサービスに関する情報を受信する商品・サービス情報受信ステップと、
受信した前記商品またはサービスに関する情報を基に行われる前記データベースの前記登録商品／サービステーブルへの必要な事項の入力を受け付ける商品・サービス情報入力受付ステップと、
必要な事項を入力された前記商品またはサービスについて、前記データベースの前記アフィリエイトテーブルを作成するアフィリエイトテーブル作成ステップと、
前記購入端末から送信された職域販売決定商品またはサービスおよび必要なクーポン数に関する情報を受信する職域販売決定商品・サービスおよび必要なクーポン数情報受信ステップと、
受信した前記職域販売決定商品またはサービスおよび必要なクーポン数に関する情報を前記販売装置に送信する職域販売決定商品・サービスおよび必要なクーポン数情報送信ステップと、
前記販売装置から送信された前記職域販売決定商品またはサービスのクーポンＩＤおよびクーポン番号に関する情報を受信するクーポンＩＤ・番号情報受信ステップと、
受信した前記職域販売決定商品またはサービスのクーポンＩＤおよびクーポン番号に関する情報を基に行われる前記データベースの前記マッチングテーブルへの必要な事項の入力を受け付けるクーポンＩＤ・番号情報入力受付ステップと、
受信した前記職域販売決定商品またはサービスのクーポンＩＤおよびクーポン番号に関する情報ならびに前記販売装置のアドレス情報を前記購入端末に送信するクーポンＩＤ・番号およびアドレス情報送信ステップと、
前記販売装置から送信された前記商品またはサービスの売上に関する情報を受信する売上情報受信ステップと、
受信した前記商品またはサービスの売上に関する情報に基づいて、前記データベースの前記集計テーブルで指定された集計期間における売上数量および売上金額を集計する売上集計ステップと、
集計した前記売上数量を基に、前記データベースのアフィリエイトテーブルを参照して、適用するアフィリエイト率を決定するアフィリエイト率決定ステップと、
決定した前記アフィリエイト率を基に、前記団体が前記販売業者から受け取る仲介料を算出する仲介料算出ステップと、
を含む。
【００２０】
【００２１】
さらに、上記課題を解決するために、本発明の請求項５の発明は、請求項４に記載のプログラムを記録したことを特徴とするコンピュータ可読媒体である。
【発明の効果】
【００２２】
本発明の職域販売処理システム、装置、方法、プログラム、コンピュータ可読媒体は、仲介料の支払いが必要な職域販売に好適に適用することができる。
【００２３】
また、本発明によって、販売業者が団体に支払うべき仲介料を自動的に算出することが可能となる。また、仲介料の算出方法が団体ごと、商品ごと、または商品の販売数量によって異なったとしても、対応することが可能となり、従来マニュアルで仲介料を計算していた販売業者や団体の福利厚生機関の負担が大きく低減されることになる。
【発明を実施するための最良の形態】
【００２４】
添付図面を参照して、以下に本発明の好適な１実施形態を説明する。なお、本実施形態において、「販売業者」という用語は、商品およびサービスを提供する会社、組織等を示す。また提供する商品およびサービスを総括して以下「商品」と称する。また、「団体」という用語は、上記「販売業者」から「商品」を購入する会社、団体、組織等を示す。さらに、「構成員」という用語は、上記「団体」を構成するメンバー（会社の社員など）を示す。「福利厚生機関」は、上記「団体」に包含される部門であるが、該「団体」から業務委託を受けた別の団体であってもよい。
【００２５】
図１は、本発明の１実施形態に係る職域販売処理システムの概略図である。
この図に示すように、本実施形態の職域販売処理システム１００は、販売仲介装置１０と、４つの販売装置２０と、４つの購入端末３０と、ネットワーク４０とを備える。
【００２６】
［職域販売処理システムの構成要素］
図１を参照して、各構成要素について説明する。販売仲介装置１０は、販売業者と団体との間の職域販売を仲介するサイトを有する装置であり、具体的には、販売業者およびその商品と、団体とを結び付ける機能を有する。該装置は職域販売処理システム１００の中で最も重要な要素であり、既存のサーバ、コンピュータなどから構成される。詳細は後述するが、販売業者と、商品と、団体との関連付けを行う手段や、販売業者が団体の福利厚生機関に支払うべき仲介料を算出する手段を備えている。
【００２７】
販売装置２０は、販売業者が販売仲介装置１０のサイトにアクセスするために用いられる装置であり、販売する商品が登録された販売サイトが組み込まれている。この装置は既存のサーバ、コンピュータなどから構成される。
【００２８】
購入端末３０は、団体の構成員または福利厚生機関が販売仲介装置１０のサイトにアクセスするために用いられる端末であり、主に会員登録、職域販売する商品の決定、商品の注文などを行う際に用いられる。この端末は、通信機能を有し、かつウェブの閲覧ソフトが組み込まれた既存のコンピュータ、携帯端末（ＰＤＡ等）、携帯電話などから構成される。
【００２９】
ネットワーク４０は、販売装置２０と販売仲介装置１０との間、および、販売仲介装置１０と購入端末３０との間を接続して、相互に通信可能にするために使用される。また、ネットワーク４０は、各装置または端末と直接接続されるか、あるいは通信回線などを介して間接的に接続される。このネットワークには、インターネット、イーサネット（登録商標）、広域イーサネット（登録商標）などの既存のネット網を用いてよい。また、販売装置２０と購入端末３０との間も相互に直接通信可能である。
【００３０】
［職域販売処理システムの機能］
図２を参照して、本発明の１実施形態に係る職域販売処理システム１００の機能について説明する。
この図は、職域販売処理システム１００に、販売業者として、商品Ｘを職域販売する業者Ｘと、商品Ｙを販売する業者Ｙと、商品Ｚを販売する業者Ｚと、商品Ｉを販売する業者Ｉと、購入団体として、２０万人の構成員を有する団体Ａと、２万人の構成員を有する団体Ｂと、１０万人の構成員を有する団体Ｃと、５０人の構成員を有する団体Ｄとが登録されている例を示している。
【００３１】
さらに、販売業者Ｘは商品Ｘを団体Ａに、業者Ｙは商品Ｙを団体ＡおよびＣに、業者Ｚは商品Ｚを団体Ｄに、業者Ｉは商品Ｉを団体Ｄに職域販売するように、販売仲介装置１０のサイトで関連付けされている。この関連情報を基にして、職域販売処理システム１００を介して、複数の業者と団体との間で職域販売が行われる。詳細は後述するが、各販売業者は、販売仲介装置１０を介して登録している団体およびその詳細情報を入手でき、また、各団体の福利厚生機関も、購入する商品および該商品の販売業者の詳細情報を販売仲介装置１０経由で入手することができる。
【００３２】
［販売仲介装置のデータベース］
図３を参照して、販売仲介装置１０が有するデータベースについて説明する。この図に示すように、販売仲介装置１０は、販売業者テーブル１５０と、登録商品／サービステーブル１６０と、アフィリエイトテーブル１７０と、登録購入団体テーブル１８０と、マッチングテーブル１９０と、集計テーブル２００とを含む。以下に図４を参照して個々のテーブルについて詳細に説明する。
【００３３】
（ａ）販売業者テーブル１５０
販売業者テーブル１５０は、商品を提供する販売業者についての情報が登録されたテーブルであり、業者ＩＤ、業者名称、詳細情報、認証ＩＤ、認証パスワードの項目を有している。「業者ＩＤ」とは販売業者を識別するためのＩＤであり、各販売業者に一意に付与される。「詳細情報」とは販売業者に関する詳細情報であり、特に限定しないが、販売業者の正式名称、所在地、連絡先、資本金、代表者名などが含まれる。「認証ＩＤ」および「認証パスワード」は、販売業者が、販売仲介装置の会員用サイトにアクセスするために必要なコードである。
【００３４】
（ｂ）登録商品／サービステーブル１６０
登録商品／サービステーブル１６０は、販売業者が提供する商品についての情報が登録されたテーブルであり、商品／サービスＩＤ、商品／サービス名、詳細情報、初期アフィリエイトテーブルＩＤ、表示開始時期、表示終了時期の項目を有している。「商品／サービスＩＤ」は、商品を識別するためのＩＤであり、各商品に一意に付与される。詳細情報とは商品に関する詳細情報であり、特に限定しないが、商品の標準価格、写真、特徴、ＰＲなどが含まれる。「初期アフィリエイトテーブルＩＤ」は、アフィリエイトテーブル１７０の説明で詳述するが、商品ごとに作成されるアフィリエイトテーブルのうち、デフォルトとして用いるアフィリエイトテーブルのＩＤに相当する。本実施形態では、デフォルトでは、アフィリエイト率を１％に設定するものとする。したがって、初期アフィリエイトテーブルＩＤは、該当する商品のアフィリエイト率１％におけるテーブルのＩＤとなる。また、商品によっては、年末、年始、クリスマス時、または春、夏等、販売時期が限定されるものがある。そのため、商品を提示する期間を特定する「表示開始時期」「表示終了時期」の項目が設けられ、その期間のみ商品の閲覧および購入が可能となる。
【００３５】
（ｃ）アフィリエイトテーブル１７０
アフィリエイトテーブル１７０には、アフィリエイト率と売上個数との関係が示されており、商品ごとに作成される。アフィリエイト率とは、該当する商品の仲介料を算出するために用いられる要素であり、単位売上金額当たりの仲介料に相当する。例えば、商品Ｗのアフィリエイト率が１％で設定されており、その売上額が１００万円の場合には、商品Ｗの仲介料は１万円となる。
アフィリエイト率は、例えば１〜４％の範囲で、１％ステップで設定され、それぞれにおいて、運用コスト、損益分岐粗利、粗利率、想定売上額、当該商品構成比、提供単価、想定売上個数が設定される。運用コストは、該当する商品を販売するために消費されるコストであり、人件費、販促費、システム維持費などが挙げられ、過去のデータより経験的に求められる。この運用コストは、一般に売上額に応じて上昇する。損益分岐粗利は、該当の製品を販売する際に利益を得られる最低の粗利額である。これは運用コストに応じて決定される。粗利率は、政府発表データを基に決定される。想定売上額は、損益分岐粗利と粗利率によって求められる。当該商品構成比および提供単価は、販売業者によって、商品登録時に与えられる。最後に、以上の数値に用いて想定売上個数が決定される。これにより、各アフィリエイト率と売上個数との関係が求められる。図４（ｃ）の表を参照すると、対象の商品の売り上げ個数が０〜１３３の範囲では、アフィリエイト率は１％、１３４〜２００の範囲で２％、２０１〜２６７の範囲で３％、２６８以上で４％と設定される。それぞれのアフィリエイト率に対してアフィリエイトテーブルＩＤが一意に付与される。
【００３６】
（ｄ）登録購入団体テーブル１８０
登録購入団体テーブルは、商品を購入する団体についての情報が登録されたテーブルであり、団体ＩＤ、職域ＩＤ、団体情報、構成員情報、認証ＩＤ、認証パスワードの項目を有する。「団体ＩＤ」は、団体を識別するために用いるものであり、各団体に一意に付与される。「職域ＩＤ」とは、団体を更に細分化して識別する場合に用いられる。例えば、ある団体が複数の支部を有しており、その支部ごとに別々に職域販売を登録、管理する場合に、異なる職域ＩＤを付与する。「団体情報」は団体に関する詳細情報であり、特に限定しないが、団体の正式名称、所在地、代表者名、連絡先等が含まれる。「構成員情報」は、該当の団体の構成員に関する詳細情報であり、特に限定しないが、構成員の人数、男女比、平均年齢等が挙げられる。「認証ＩＤ」および「認証パスワード」は、団体が、販売仲介装置の会員用サイトにアクセスするために必要なコードである。
【００３７】
（ｅ）マッチングテーブル１９０
マッチングテーブルは、販売業者と、商品と、団体と、職域と、が関連付けられたテーブルである。また、商品を販売する場合にクーポンが発行され、「クーポンＩＤ」は職域ごと、あるいは商品ごとに一意に付与され、「クーポン数」は、該当のクーポンにおける発行数を示す。「マッチングＩＤ」は、マッチングテーブルの行ごとに一意に付与される。
【００３８】
（ｆ）集計テーブル２００
集計テーブルは、マッチングＩＤごとに所定の集計期間における売上数量を集計して、商品ごとに適用するアフィリエイト率を決定し、販売業者が団体に支払う仲介料を算出するためのテーブルである。マッチングＩＤ、集計期間、売上数量、初期アフィリエイトテーブルＩＤ、適用アフィリエイトテーブルＩＤ、売上金額、仲介料の項目を有する。
ここで、初期アフィリエイトテーブルの項目は、（ｂ）登録商品／サービステーブル１６０で説明したように、本実施形態ではアフィリエイト率が１％のテーブルのＩＤが選択される。
次に、集計期間における売上数量を基に、適用アフィリエイト率を求める。ここで、アフィリエイト率は、商品ごとに設定される。また、売上数量に対する下限閾値（本実施形態では１０とする）を設けてよい。販売数量がこの下限閾値以下の職域については、初期のアフィリエイト率（１％）をそのまま適用することにする。
図４（ｆ）を参照して詳細に説明する。マッチングＩＤ「Ｍ００１」、「Ｍ００３」、「Ｍ００４」の行では、同一の商品（□□１）が取り扱われているため、この３行についてアフィリエイト率を求める。しかし、「Ｍ００４」では、売上数量が９で、下限閾値１０以下のため、適用アフィリエイトテーブルは、初期アフィリエイトテーブルと同一（□□−１）となる。次に、「Ｍ００１」と「Ｍ００３」の売上数量の合計は１４０であり、この数値を基に、図４（ｃ）のアフィリエイトテーブルよりアフィリエイト率を求めると、２％となる。よって、適用アフィリエイトテーブルＩＤは□□１−２になる。
以上のように求めたアフィリエイト率を基に、マッチングＩＤごとに仲介料を算出する。
【００３９】
上記６つのテーブルを有したデータベースによって、仲介料が算出される。この仲介料は、販売仲介装置１０より、販売装置２０および購入端末３０に通知され、販売業者は団体の福利厚生機関にこの仲介料を支払う必要がある。
【００４０】
［販売仲介装置の会員用サイトへの登録方法］
販売仲介装置１０の有するサイトは、会員となった業者および団体のみがアクセス可能な限定公開サイトである。そのため、本願の１実施形態に係る職域販売処理システム１００を使用するためには、まず、販売仲介装置１０のサイトに業者および団体が会員登録をする必要がある。そこで、以下に図５を参照して、販売仲介装置１０のサイトへ販売業者および団体が会員登録する手順を説明する。
【００４１】
まず、販売業者／団体が、販売装置２０／購入端末３０を介して、販売仲介装置１０の公開（非会員用）サイトにアクセスし、そのサイトの会員登録フォームに所定の情報を入力することで、会員登録を申し込む（Ｓ１）。販売仲介装置１０は、その申し込みを受け付け（Ｓ２）、申し込みを受け付けたことを販売装置２０／購入端末３０に通知する（Ｓ３）。次に、販売仲介装置１０のサイトの管理者は、申し込みを受けた販売業者／団体の審査を行う（Ｓ４）。審査内容については、特に限定しないが、職域販売契約時に行われる通常の審査内容であってよい。審査が不合格の場合には、不合格を通知する（Ｓ５）。  一方、合格の場合には、合格を通知し（Ｓ７）、契約を結ぶ（Ｓ９）。契約の内容については、特に限定しないが、職域販売における通常の契約内容であってよい。契約後、その販売業者／団体が新たに会員になったことを、販売仲介装置１０はサイト上などで他の会員に通知する（Ｓ１０）。最後に販売仲介装置１０は、契約した販売業者／団体に認証キーを発行し（Ｓ１１）、販売業者／団体はその認証キーを入力することで、会員専用サイトにアクセスすることが可能となる。最後に、販売仲介装置１０は、会員となった販売装置２０／購入端末３０の情報を元に、自身のデータベースの販売業者テーブル１５０または登録購入団体テーブル１８０の各項目に必要事項を振り分ける（Ｓ１２）。
以上の方法で、販売業者および団体の会員登録が行われる。
【００４２】
従来、販売業者または団体が職域販売を行う場合、それぞれ相手を探し、その相手が信用できるかどうかを審査し、審査結果が合格の場合に職域販売契約を結ぶ。これらのプロセスは独自に行わねばならないため、非常に手間のかかる作業となる。しかし、本発明の職域販売処理システムには、職域販売を希望する販売業者および団体が既に登録されているため、相手先を比較的容易に見つけることができる。また、登録されている販売業者及び団体は、既に販売仲介装置１０のサイトの管理者による審査を合格しているため、独自の審査を省略するか、簡略化させることができる。さらに、販売仲介装置１０のデータベースより販売業者、商品、団体に関する様々な情報を入手できるため、相手先の決定や、審査を行う場合に有用でき、従来手間の掛った作業が簡略化され、販売業者、団体の双方の負荷が大きく低減される。
【００４３】
［職域販売処理方法］
上記のような手順で会員登録を行った販売業者と団体との間で、本発明の１実施形態に係る職域販売処理システム１００を用いて職域販売を行う。図６を参照して、本実施形態に係る職域販売処理方法について説明する。
【００４４】
まず、販売仲介装置１０の会員用サイトに、販売装置２０がアクセスする。そして、職域販売したい商品を登録するために、該商品に対する詳細情報を販売仲介装置１０のサイトに入力する（Ｓ１）。この入力は、例えば、販売装置２０内のサイトに登録されている商品に関する情報を、販売仲介装置１０に送ることで行われてよい。
【００４５】
販売装置２０からの商品登録は販売仲介装置１０で受け付けられ（Ｓ２）、これを受けて、販売仲介装置１０は、この情報を基に、データベースの登録商品／サービステーブル１６０の各項目に必要な事項を入力する（Ｓ３）。次いで、アフィリエイトテーブル１７０を商品ごとに作成する（Ｓ４）。なお、本実施形態では初期アフィリエイト率は１％と設定されることに留意されたい。以上の手順によって、登録された商品は購入端末３０で閲覧可能となる。
【００４６】
次に、団体の福利厚生機関が購入端末３０を介して、販売仲介装置１０の会員用サイトにアクセスして、登録された商品を閲覧および検索を行う（Ｓ５）。その際には、データベース技術で用いられる公知の検索手段を用いて、団体および商品を閲覧、検索してよい。例えば、商品カテゴリーごと、価格順、売り上げ順に閲覧や検索してよい。また、特定の商品やその販売業者の詳細情報を販売仲介装置１０のデータベースの登録商品／サービステーブル１６０や販売業者テーブル１５０から入手して、商品決定の参考にしてよい。そして、職域販売する商品を決定し、決定した商品と必要なクーポン数を通知する（Ｓ６）。販売仲介装置１０はこれらの情報を受け取ると、メール等で販売装置２０に転送する（Ｓ７）。
【００４７】
この商品決定およびクーポン情報を受けて（Ｓ８）、販売装置２０は、該商品のクーポンＩＤおよびクーポン番号を作成し、販売仲介装置１０に送付する（Ｓ９）。販売仲介装置１０は、この情報を基に自身のマッチングテーブル１９０に必要な事項を記載して、メール等で購入端末３０に該情報および販売装置２０のアドレス情報を送る（Ｓ１０）。なお、このクーポン情報は、商品購入の際に必要となる情報であり、この情報によって商品の売上が計算される。購入端末３０は、この転送されたクーポンに関する情報を受け取り、自身のサイトに掲載する（Ｓ１１）。
【００４８】
次いで、その団体の構成員が購入端末３０で決定された商品を閲覧し、必要に応じてその詳細情報を入手する。そして、構成員は、購入したい商品を決定したら、購入端末３０から販売装置２０にその商品を注文する（Ｓ１２）。販売装置２０が注文を受けると（Ｓ１３）、注文を受領したことが購入端末３０へ通知される。これによって、商品の発注は完了する。
【００４９】
その後、販売仲介装置１０は、データベースの集計テーブル２００で指定された集計期間における売上数量および売上金額を集計する。その際に、販売仲介装置１０は、販売装置２０に対して商品の売り上げに関する情報をクーポンＩＤごとに問い合わせ、販売装置２０はそれに応じて該情報を送付する（Ｓ１４）。そして、集計した売上数量を基に、アフィリエイトテーブル１７０を参照して、適用するアフィリエイト率を決定する（Ｓ１５）。そのアフィリエイト率を基に、販売業者が団体の福利厚生機関に支払うべき仲介料を算出する（Ｓ１６）。最後に、販売仲介装置１０はその算出した仲介料を販売装置２０と購入端末３０とに通知する（Ｓ１８、Ｓ１９）。
【００５０】
以上、本発明の１実施形態に係る職域販売処理システムおよび方法を説明したが、これらは例示的なものに過ぎず、様々な変更や変形が可能である。例えば、図１および図２の職域販売処理システム１００では、それぞれ４つの販売装置２０および購入端末３０が示されているが、本発明の販売装置および購入端末の数は、それに限定されるものではなく、任意の数であってよい。また、図２では、１つの販売装置２０から、１つの商品が提供されているが、本発明はそれに限定されるものではなく、１つの販売装置から複数の商品が提供されてもよい。
【００５１】
また、本実施形態のアフィリエイトテーブル１７０で設定されるアフィリエイト率と想定売上個数の関係は、販売業者と、販売仲介装置１０の管理者と、団体との間に結ばれる職域販売契約に基づくものであり、任意に設定してよく、特定の関係に限定されるものではない。
さらに、本実施形態では、初期アフィリエイト率を１％と設定したが、本発明はこれに限定されるものではなく、任意の数値を用いてよい。同様に、アフィリエイトテーブル１７０で設定されるアフィリエイト率は、本実施形態では１〜４％で１％ステップとしているが、本発明はこれに限定されるものではなく、任意の数値で設定してよい。
【００５２】
本実施形態において、アフィリエイト率は、商品の売上個数と関連付けがされているが、本発明はこれに限定するものではない。代替え的に、アフィリエイト率を、商品の想定売上額と関連付けさせてもよい。その場合には、仲介料は商品の売上額に応じて変化することになる。
【００５３】
本発明の１実施形態の係る販売仲介装置１０のデータベースは、６つのテーブルから構成されているが、更に、データを分析するための分析テーブルを含んでもよい。この分析テーブルには、登録購入団体テーブル１８０の情報を用いて、例えば、男女別、年齢別に商品の売上数を集計したデータが振り分けられる。そして、この集計データ統計処理を施し、グラフなどでビジュアル化して、販売業者に提供することができる。これらのデータは、販売業者にとって、販売を促進する上で貴重な市場データとなり得る。さらに、商品の売上数量を基に、商品売り上げランキングを作成して、団体に提供してもよい。
【００５４】
本発明の１実施形態では、仲介料は、販売業者から団体の福利厚生機関に支払われるものと説明したが、本発明はそれに限定されるものではない。代替え的に、仲介料の一部が、仲介サイトの管理、運営費として販売仲介装置１０の管理者に支払われてもよい。その場合、仲介料は、団体の福利厚生機関への支払額と、販売仲介装置１０への支払額と、に別々に集計することが好ましい。
【００５５】
上述した本発明の１実施形態に係る職域販売処理方法は、プログラムとして実装されることが好ましい。その場合には、プログラムはメインのサーバから各販売仲介装置１０へダウンロードされるか、コンピュータ可読媒体の形態で分配されることが好ましい。コンピュータ可読媒体の例としては、ＣＤ−ＲＯＭ、磁気テープ、フレキシブルディスク、光学式データ保存装置などが挙げられる。
【図面の簡単な説明】
【００５６】
【図１】本発明の１実施形態に係る職域販売処理システムの構成を示す図である。
【図２】本発明の１実施形態に係る職域販売処理システムの機能を示す図である。
【図３】本発明の１実施形態に係る販売仲介装置のデータベースの構造を示す図である。
【図４】本発明の１実施形態に係る販売仲介装置のデータベースを構成するテーブルの詳細構造を示す図である。
【図５】本発明の１実施形態に係る職域販売処理システムに会員登録する手順を示すフローチャートである。
【図６】本発明の１実施形態に係る職域販売処理方法を示すフローチャートである。
【符号の説明】
【００５７】
１００ 職域販売処理システム
１０ 販売仲介装置
２０ 販売装置
３０ 購入端末
４０ ネットワーク
【図１】
0005033539.tif 000002
【図２】
0005033539.tif 000003
【図３】
0005033539.tif 000004
【図４】
0005033539.tif 000005
【図５】
0005033539.tif 000006
【図６】
0005033539.tif 000007